(57)【要約】【課題】フィルムを複数の搬送ロール間に通紙する作業に先立って複数の搬送ロール間に紐通しを行うにあたって、フィルムを液体中にて搬送する場合でも、紐通しに用いる紐やフィルムが搬送ロールの軸端から落下してしまうことを回避する。【解決手段】複数の搬送ロール１１によってフィルムが搬送される搬送領域に対して搬送ロール１１の一端側から外側に離れた領域に設けられ、チェーン２２をフィルムの搬送経路に沿って走行させるスプロケット２１と、チェーン２２に設けられ、フィルムの搬送領域に向かって伸びた紐通し棒２５とを備え、紐通し棒２５の先端には、紐通し用の紐を紐通し棒２５に連結するための固定部２６が設けられている。【選択図】図６
2020001856.tif 000002
【特許請求の範囲】
【請求項１】
フィルムを搬送するための搬送ロールを複数備えたフィルム搬送装置に用いられ、フィルムをその搬送経路に沿って前記複数の搬送ロール間に通紙する際に、フィルムを前記複数の搬送ロール間に通紙する作業に先立って複数の搬送ロール間に紐通しを行う通紙装置であって、
前記複数の搬送ロールによってフィルムが搬送される搬送領域に対して前記搬送ロールの一端から外側に離れた領域に設けられ、ライン状ガイド部材をフィルムの搬送経路に沿って走行させる誘導部材と、
前記ライン状ガイド部材に設けられ、前記搬送領域に向かって伸びた棒状部材と、を備え、
前記棒状部材の前記搬送領域側の端部には、前記紐通し用の紐を前記棒状部材に連結するための固定部が設けられている通紙装置。
【請求項２】
請求項１に記載の通紙装置において、
前記棒状部材の長さは、前記ライン状ガイド部材と前記搬送ロールの前記一端の端部との間の間隔よりも長い、通紙装置。
【請求項３】
請求項１または２に記載の通紙装置において、
前記棒状部材は、前記ライン状ガイド部材に対して着脱自在に設けられている、通紙装置。
【請求項４】
請求項１ないし３のいずれか一つに記載の通紙装置において、
前記棒状部材は、弾性力を有する材料から構成されている、通紙装置。
【請求項５】
請求項１ないし４のいずれか一つに記載の通紙装置において、
前記誘導部材は、前記ライン状ガイド部材がフィルムの搬送経路に沿いながら当該搬送経路よりも外回りを走行するように配置されている、通紙装置。
【請求項６】
請求項１ないし５のいずれか一つに記載の通紙装置において、
前記ライン状ガイド部材は、無端状に形成されている、通紙装置。
【請求項７】
請求項６に記載の通紙装置において、
前記ライン状ガイド部材は、フィルムの搬送経路の下流側から上流側に戻る領域が、前記搬送ロールが配置された領域に対して階下に配置されている、通紙装置。
【請求項８】
請求項１ないし７のいずれか一つに記載の通紙装置において、
前記ライン状ガイド部材は、水平軸周りに配置されている、通紙装置。
【請求項９】
請求項１ないし８のいずれか一つに記載の通紙装置と、
処理液が収容される処理槽と、を備え、
前記搬送ロールは、フィルムが処理液中を搬送されるように前記処理槽内に配置されている、フィルム製造装置。
【請求項１０】
請求項９に記載のフィルム製造装置において、
前記処理液が有機溶剤である、フィルム製造装置。
【請求項１１】
請求項１０に記載のフィルム製造装置において、
前記棒状部材は、耐薬品性を持つ部材により構成されている、フィルム製造装置。
【請求項１２】
請求項９ないし１１のいずれか一つに記載のフィルム製造装置において、
前記処理槽の側面及び天井面の少なくとも一方には、前記ライン状ガイド部材を外部から視認可能とする確認窓が設けられている、フィルム製造装置。
【請求項１３】
請求項９ないし１２のいずれか一つに記載のフィルム製造装置において、
フィルムの搬送経路の長さは、当該搬送経路を構成する搬送ロールの幅の２０倍〜１００倍である、フィルム製造装置。
【請求項１４】
樹脂と可塑剤とを混練して樹脂溶液を得るための混練機と、
前記樹脂溶液をゲルシート状に吐出するダイと、
ゲルシート状に吐出された樹脂溶液を冷却してフィルムを得るための冷却装置と、
前記フィルムを延伸する延伸装置と、
延伸済のフィルムから可塑剤を除去して微多孔膜を得るための請求項９ないし１３のいずれか一つに記載のフィルム製造装置と、
前記微多孔膜を巻き取る巻き取り部と、を有する微多孔膜製造装置。
【請求項１５】
フィルムを搬送するための搬送ロールを複数備えたフィルム搬送装置に用いられ、フィルムをその搬送経路に沿って前記複数の搬送ロール間にフィルム通しする際に、フィルムを前記複数の搬送ロール間にフィルム通しする作業に先立って複数の搬送ロール間に紐通しを行う通紙装置を用いたフィルム通し方法であって、
前記複数の搬送ロールによってフィルムが搬送される搬送領域に対して前記搬送ロールの一端から外側に離れた領域に配置されたライン状ガイド部材に設けられた棒状部材におけるフィルムの搬送領域に向かって伸びだす先端に紐の一端を連結する工程と、
前記ライン状ガイド部材をフィルムの搬送経路に沿って走行させ、前記紐の一端側をフィルムの搬送経路の下流側に向かって引き出すとともに、前記紐の他端側をフィルムの搬送経路の上流側にて待機させる工程と、
前記紐の一端側が前記フィルム搬送装置の下流側に引き出された後、前記ライン状ガイド部材を停止させ、前記紐の一端側を前記棒状部材から切り離す工程と、前記紐の他端側にフィルムの先端を固定し、前記紐の一端側をさらに引き出してフィルムを前記複数の搬送ロール間にてフィルム通しする工程と、を含むフィルム通し方法。
【請求項１６】
ポリオレフィン樹脂と可塑剤とを混練してポリオレフィン溶液を調整する工程と、
前記ポリオレフィン溶液を冷却して前記フィルムとしてゲルシートを形成する工程と、
可塑剤を除去するために洗浄槽内にて前記ゲルシートをフィルム通しする工程を、請求項１５に記載のフィルム通し方法を用いて行う工程と、
前記洗浄槽を通過して可塑剤が除去された微多孔膜を巻き取る工程と、を含む微多孔膜製造方法。
【発明の詳細な説明】
【技術分野】
【０００１】
本発明は、フィルムを複数の搬送ロール間に通紙する際に、フィルムを通紙する作業に先立って複数の搬送ロール間に紐通しを行う技術に関する。
【背景技術】
【０００２】
従来、二次電池用セパレータに用いられる微多孔膜を製造する際、例えばポリオレフィン樹脂と可塑剤とを溶融混練してフィルム状に成形し、得られたフィルムを延伸させた後、可塑剤を洗浄液で置換除去して、次いで洗浄液を乾燥させて微多孔膜を得ている。このような各工程を経るにあたって、フィルムあるいは微多孔膜の搬送方法としては、一般的な技術として例えば複数の搬送ロールが用いられている。
【０００３】
そのようにフィルムを複数の搬送ロールにて搬送する場合、フィルムの製造開始前に、紐通し及びフィルム通しが行われる。紐通しの作業は、フィルムの搬送経路の上流側から下流側までに亘って当該搬送経路に沿って複数の搬送ロール間に紐を通していくものである。その後、複数の搬送ロール間に通された紐の搬送方向上流側の端部に製造途中のフィルムの先端を連結し、紐をフィルムの搬送方向下流側に引っ張ることで、フィルムが複数の搬送ロール間に通紙される（フィルム通しが行われる）ことになる。このような紐通しを利用してフィルムを製造することは、特に上述した微多孔膜を製造する場合においては、ダイから吐出されたゲルシートが、可塑剤となる流動パラフィンで湿潤していることで吸引搬送ができないため、有効なものとなる。
【０００４】
このような通紙装置として、複数の搬送ロールの一端部にそれぞれ取り付けられた溝付案内ロールにロープを張設し、このロープに紐を直接連結して紐通しを行う技術が、特許文献１に開示されている。この技術においては、溝付き案内ロールの回転に伴ってロープが走行することで、ロープに連結された紐が引っ張られ、搬送ロール間を通紙されることになる。
【０００５】
また、上述したようにフィルムが複数の搬送ロール間を搬送されていくものにおいては、液体が入った槽内をフィルムが通過するようにフィルムを搬送することで、積層フィルムを製造する技術が、特許文献２に開示されている。このように液体が入った槽内をフィルムが通過するようにフィルムを搬送する技術は、上述したような微多孔膜を製造する技術において、ポリオレフィン樹脂から可塑剤を除去するためにフィルムを洗浄槽内に通す必要があることから利用される。
【先行技術文献】
【特許文献】
【０００６】
【特許文献１】特開平３−２６４４５３号公報
【特許文献２】特開２０１４−１９９２７７号公報
【発明の概要】
【発明が解決しようとする課題】
【０００７】
しかしながら、特許文献１に開示された技術のように、複数の搬送ロールの一端部にそれぞれ取り付けられた溝付案内ロールにロープを張設し、このロープに紐を直接連結して紐通しを行う場合には、搬送ロールの溝付きロールが取り付けられた一端部側に紐が引っ張られ、紐や、その後に紐に連結されたフィルムが搬送ロールの軸端に落下してロールの駆動部に噛み込んでしまったり、次の搬送ロールに搬送することができなくなってしまったりするという問題点がある。即ち、搬送ロールは長さ方向における中央部が任意の回転速度を得るために径が大きく形成されている一方、両端部は軸受や駆動力を得るために前記中央部よりも径が小さく形成されている。そのため、紐通しは、フィルムの搬送経路の上流端から下流端に亘って、前記中央部にて行う必要がある。特に微多孔膜を製造するにあたっては、フィルムの搬送距離が長いことから紐の張力を途中でコントロールしにくいため、搬送ロールの長さ方向における紐の位置は極めて調整しにくいと言える。
【０００８】
また、特許文献２に開示された技術のように、液体が入った槽内をフィルムが通過するようにフィルムを搬送する場合には、フィルムを吸引搬送したり、エアで押し出したりすることができず、更に液体が薬液からなる場合に人手で搬送することができない。また、上述した紐通しを利用した場合でも、紐が軽い時には液体中を紐が浮いて蛇行する虞があるし、紐が重くても洗浄槽内の流れによって張力が張っていないと流れてしまうという問題点がある。また、上述したような微多孔膜を製造する技術においてフィルムを洗浄槽内に通す場合、洗浄槽内の経路も長いため、紐の張力をコントロールしにくいという問題点がある。
【０００９】
本発明は、上述したような従来の技術が有する問題点に鑑みてなされたものであって、フィルムを複数の搬送ロール間に通紙する作業に先立って複数の搬送ロール間に紐通しを行うにあたって、フィルムを液体中にて搬送する場合でも、紐通しに用いる紐やフィルムが搬送ロールの軸端から落下してしまうことを回避できる技術を提供することを目的とする。
【課題を解決するための手段】
【００１０】
すなわち本発明は、
フィルムを搬送するための搬送ロールを複数備えたフィルム搬送装置に用いられ、フィルムをその搬送経路に沿って前記複数の搬送ロール間に通紙する際に、フィルムを前記複数の搬送ロール間に通紙する作業に先立って複数の搬送ロール間に紐通しを行う通紙装置であって、
前記複数の搬送ロールによってフィルムが搬送される搬送領域に対して前記搬送ロールの一端から外側に離れた領域に設けられ、ライン状ガイド部材をフィルムの搬送経路に沿って走行させる誘導部材と、
前記ライン状ガイド部材に設けられ、前記搬送領域に向かって伸びた棒状部材と、を備え、
前記棒状部材の前記搬送領域側の端部には、前記紐通し用の紐を前記棒状部材に連結するための固定部が設けられている通紙装置である。
【００１１】
また本発明は、本発明の通紙装置と、  
処理液が収容される処理槽と、を備え、
前記搬送ロールは、フィルムが処理液中を搬送されるように前記処理槽内に配置されている、フィルム製造装置である。
【００１２】
また本発明は、樹脂と可塑剤とを混練して樹脂溶液を得るための混練機と、
前記樹脂溶液をゲルシート状に吐出するダイと、
ゲルシート状に吐出された樹脂溶液を冷却してフィルムを得るための冷却装置と、
前記フィルムを延伸する延伸装置と、
延伸済のフィルムから可塑剤を除去して微多孔膜を得るための本発明のフィルム製造装置と、
前記微多孔膜を巻き取る巻き取り部と、を有する微多孔膜製造装置である。
【００１３】
また本発明は、フィルムを搬送するための搬送ロールを複数備えたフィルム搬送装置に用いられ、フィルムをその搬送経路に沿って前記複数の搬送ロール間にフィルム通しする際に、フィルムを前記複数の搬送ロール間にフィルム通しする作業に先立って複数の搬送ロール間に紐通しを行う通紙装置を用いたフィルム通し方法であって、
前記複数の搬送ロールによってフィルムが搬送される搬送領域に対して前記搬送ロールの一端から外側に離れた領域に配置されたライン状ガイド部材に設けられた棒状部材におけるフィルムの搬送領域に向かって伸びだす先端に紐の一端を連結する工程と、
前記ライン状ガイド部材をフィルムの搬送経路に沿って走行させ、前記紐の一端側をフィルムの搬送経路の下流側に向かって引き出すとともに、前記紐の他端側をフィルムの搬送経路の上流側にて待機させる工程と、
前記紐の一端側が前記フィルム搬送装置の下流側に引き出された後、前記ライン状ガイド部材を停止させ、前記紐の一端側を前記棒状部材から切り離す工程と、
前記紐の他端側にフィルムの先端を固定し、前記紐の一端側をさらに引き出してフィルムを前記複数の搬送ロール間にてフィルム通しする工程と、を含むフィルム通し方法である。
【００１４】
また本発明は、ポリオレフィン樹脂と可塑剤とを混練してポリオレフィン溶液を調整する工程と、
前記ポリオレフィン溶液を冷却して前記フィルムとしてゲルシートを形成する工程と、
可塑剤を除去するために洗浄槽内にて前記ゲルシートをフィルム通しする工程を、前記フィルム通し方法を用いて行う工程と、
前記洗浄槽を通過して可塑剤が除去された微多孔膜を巻き取る工程と、を含む微多孔膜製造方法である。
【発明の効果】
【００１５】
本発明によれば、フィルムを複数の搬送ロール間にて通紙する作業に先立って複数の搬送ロール間に紐通しを行うにあたって、フィルムを液体中にて搬送する場合でも、紐通しに用いる紐やフィルムが搬送ロールの軸端から落下してしまうことを回避できる。
【図面の簡単な説明】
【００１６】
【図１】本発明の通紙装置を用いたフィルム搬送装置の実施の一形態を示す側面図である。
【図２】本発明のフィルム搬送装置における搬送ロールとスプロケット及びチェーン、並びにチェーンに取り付けられた紐通し棒との水平方向における位置関係を示す平面図である。
【図３】本発明のフィルム搬送装置のチェーンの詳細な構造を示す斜視図である。
【図４】本発明のフィルム搬送装置における紐通し棒の先端近傍の構成を説明するための側面図である。
【図５】本発明のフィルム搬送装置におけるフィルム通し及びそれに先立って行う紐通しを説明するための平面図である。
【図６】本発明のフィルム搬送装置におけるフィルム通し及びそれに先立って行う紐通しを説明するための平面図である。
【図７】本発明のフィルム搬送装置におけるフィルム通し及びそれに先立って行う紐通しを説明するための平面図である。
【図８】本発明のフィルム搬送装置におけるフィルム通し及びそれに先立って行う紐通しを説明するための平面図である。
【図９】本発明のフィルム搬送装置におけるフィルム通し及びそれに先立って行う紐通しを説明するための平面図である。
【図１０】本発明のフィルム搬送装置を適用したフィルム製造装置の一例を示す縦断面図である。
【図１１】本発明のフィルム製造装置における洗浄槽の内部の構成を概略的に示す縦断面図である。
【図１２】本発明のフィルム製造装置における洗浄槽を上方から見た平面図である。
【発明を実施するための形態】
【００１７】
以下に、本発明の実施の形態について図面を参照して説明する。
【００１８】
図１は、本発明の通紙装置を用いたフィルム搬送装置の実施の一形態を示す図であり、側方から見た図である。図２は、図１に示した搬送ロール１１とスプロケット２１及びチェーン２２、並びにチェーン２２に取り付けられた紐通し棒２５との水平方向における位置関係を示す図である。なお、図１及び図２では、本発明を説明するために必要な部材のみを描画しており、その他の部材については省略している。
【００１９】
本形態は図１及び図２に示すように、フィルムが図１中左側から右側に向かって上下移動しながら搬送されるように複数の搬送ロール１１が設けられるとともに、フィルムの搬送経路１２に沿ってチェーン２２を走行させるようにスプロケット２１が複数設けられたフィルム搬送装置１である。後述するように、チェーン２２は図１中右端において下側の領域を介して左側（フィルムの搬送経路１２の上流端）に向かって配置されると共に当該上流端におけるチェーン２２と接続されて無端状（円弧状）となっている。
【００２０】
搬送ロール１１のそれぞれは、図２に示すように、搬送されるフィルムよりも広い幅を有し、互いに並行して配置されることで、フィルムの搬送経路１２を形成しており、駆動軸１３の回転に伴って水平軸周りに回転することで、フィルムを搬送経路１２に沿って搬送する。即ち、各搬送ロール１１は、長さ方向における中央部がフィルムの幅寸法よりも大きくなるように形成されると共に、両端部が前記中央部よりも縮径して駆動軸１３をなすように構成されている。
【００２１】
スプロケット２１は、本願発明における誘導部材となるものである。スプロケット２１は、搬送ロール１１によってフィルムが搬送される搬送領域に対して搬送ロール１１の両端部よりも外側に離れた領域に設けられると共に、横から見た時（搬送ロール１１の長さ方向の両端部のうち一端側から他端側に向かって見た時）にフィルムの搬送経路１２に沿うように配置されている。また、スプロケット２１は、後述するモータによる駆動軸２４の回転に伴って水平軸周りに回転するように構成されている。
【００２２】
チェーン２２は、本願発明におけるライン状ガイド部材となるものである。チェーン２２は、ＳＵＳ（ステンレス）等の耐腐食性金属からなり、スプロケット２１に噛み合うことで、スプロケット２１の回転に伴ってフィルムの搬送経路１２に沿いながら搬送経路１２よりも外回りを走行するように水平軸周りに走行する。チェーン２２は、フィルムの搬送経路１２の下流側から上流側に戻る際、搬送ロール１１が配置された領域に対して下方を通過するように無端状となっている。チェーン２２には、図３に示すように、その内側に取付け部２５ａが取り付けられている。取付け部２５ａは、Ｌ字型であって、図４に示すように、棒状部材となる紐通し棒２５を取り付けるための孔部を有しており、チェーン２２の長さ方向に沿って等間隔で例えば３箇所に設けられている。以上説明したスプロケット２１及びチェーン２２は、図２に示すように、搬送ロール１１の両端側のうち一方側だけに配置されている。なお、紐通し棒２５は、実際には取付け部２５ａにフックやネジなどを用いて強固に固定されているが、図３ではそれらフックやネジなどの描画を省略している。
【００２３】
図４は、図２に示した紐通し棒２５の先端近傍の構成を説明するための図である。紐通し棒２５は、弾性力を有すると共に耐腐食性（耐薬品性）の材料例えばカーボンなどの棒状の部材により構成されており、一端側がチェーン２２の取付け部２５ａに取り付けられ、他端側がフィルムの搬送領域に向かって延びている。紐通し棒２５は、チェーン２２における搬送ロール１１に対向する面から搬送ロール１１の長さ方向における中央部分までの長さを有し、図４に示すように、その搬送領域側の端部となる先端には、後述する紐通し用の紐を連結するための固定部２６を有している。
【００２４】
なお、搬送ロール１１及びスプロケット２１の数は、図示したものには限らず、複数であればよい。
【００２５】
上記のように構成されたフィルム搬送装置１においては、フィルムをその搬送経路１２に沿って搬送ロール１１間にフィルム通しする作業に先立って搬送ロール１１間に紐通しを行うことになる。なお、上述したスプロケット２１とチェーン２２と紐通し棒２５とから、本願発明の通紙装置が構成される。
【００２６】
以下に、上述したフィルム搬送装置１におけるフィルム通し及びそれに先立って行う紐通しについて説明する。
【００２７】
図５〜図１０は、図１〜図４に示したフィルム搬送装置１におけるフィルム通し及びそれに先立って行う紐通しを説明するための図であり、図１に示したフィルム搬送装置１を上方から見た図である。
【００２８】
紐通しにおいては、まず、図５に示すように、チェーン２２における紐通し棒２５がフィルム搬送装置１における上流側に位置するようにチェーン２２を駆動する。次いで、この紐通し棒２５の先端の固定部２６にゴムシート５３の一端側を結び付けると共に、このゴムシート５３の他端側を、リールとなる玉巻き紐３１として巻かれた紐５１の先端にフィルムの搬送領域にて結びつけることで連結して固定する。なお、ゴムシート５３を構成する材料としては樹脂製のばね等の弾性体などであってもよい。また、実際には固定部２６とゴムシート５３との間に紐５１とは別の紐を介在させているが、ここでは説明を省略する。
【００２９】
紐５１を紐通し棒２５の固定部２６にゴムシート５３を介して連結した後、スプロケット２１及び搬送ロール１１を回転駆動させることで、搬送ロール１１を回転させながら、チェーン２２をフィルムの搬送経路１２に沿って走行させる。すると、図６に示すように、紐通し棒２５が可撓性を有しているので、更には紐５１と紐通し棒２５との間にゴムシート５３が介在しているので、紐通し棒２５が撓み、あるいはゴムシート５３が伸縮して、それにより、紐５１の張力が調整されながら、紐５１の先端がフィルムの搬送経路１２の下流側に向かって引き出されていく。既述のように、紐通し棒２５における先端部である固定部２６が搬送ロール１１の長さ方向における中央部に位置していることから、紐５１は、搬送経路１２の中央部にて引き出される。その際、紐５１の後端は、玉巻き紐３１として巻かれた状態でフィルムの搬送経路１２の上流側に待機することになる。なお、紐通しする際に搬送ロール１１を駆動する理由としては、第２の紐５２をフィルムの搬送方向下流側に搬送するチェーン２２の働きを補助するためである。
【００３０】
チェーン２２がフィルムの搬送経路１２に沿って走行することで、紐５１の先端がフィルムの搬送経路１２の下流側に向かって引き出されていくと、チェーン２２が、上述したようにフィルムの搬送経路１２よりも外回りを走行することから、図７に示すように、引き出された紐５１がロール１１間にて紐通しされていく。この際、チェーン２２がフィルムの搬送経路１２よりも外回りを走行することになるため、搬送ロール１１の回転速度とスプロケット２１の回転速度とは、紐５１がチェーン２２の走行によって搬送ロール１１上を搬送される速度に応じたものとなるように互いに異なっている。
【００３１】
紐５１の先端側がフィルム搬送装置１の下流側に引き出された後、搬送ロール１１の回転を停止させるとともに、スプロケット２１の回転を停止させることでチェーン２２の走行を停止させ、紐５１及びゴムシート５３を紐通し棒２５の固定部２６から切り離す。そして、図８に示すように、紐５１の後端側（フィルムの搬送方向上流側の端部）に、このフィルム搬送装置１にて搬送するフィルム４の先端を結び付けて固定し、各々の搬送ロール１１を回転させながら、紐５１をフィルムの搬送経路１２の下流側に引き出す。この際、紐５１の引き出しは人手で行ってもよいし、紐５１の先端をワインダーに固定してワインダーで巻き取ってもよい。
【００３２】
すると、図９に示すように、紐５１の後端側にフィルム４の先端が固定されていることで、フィルム４が、紐５１が通された搬送ロール１１間にてフィルム通しされていく。その際、搬送ロール１１のそれぞれが、搬送されるフィルムよりも広い幅を有するものであり、搬送ロール１１の中央部分にて紐５１がフィルムの搬送経路１２の下流側に引き出されていくことで、フィルムが搬送ロール１１の中央部分にてフィルム通しされていく。すなわち、搬送ロール１１の中央部分にて所定の幅を有する領域が、フィルムの搬送領域となる。
【００３３】
上述したように本形態のフィルム搬送装置１に用いられる通紙装置においては、フィルムが搬送される搬送領域に対して左右のうち一方だけをチェーン２２が走行する構成とし、チェーン２２に紐通し棒２５を設けている。そのため、紐通し棒２５の先端に設けられた固定部２６に紐５１の先端を連結して固定した状態で、チェーン２２をフィルムの搬送経路１２に沿って走行させることで、紐５１を搬送ロール１１間にて紐通しを行うことができる。従って、紐５１の後端にフィルムの先端を固定して引き出していくことでフィルム通しを行うことができるので、紐５１やフィルムが搬送ロール１１の軸端に落下して噛んでしまったり、次の搬送ロール１１に搬送することができなくなってしまったりすることが回避される。特に、フィルムの搬送経路が長い場合であっても、紐５１やフィルムが搬送ロール１１の軸端に落下して噛んでしまったり、次の搬送ロール１１に搬送することができなくなってしまったりすることを回避することができる。さらに、チェーン２２がフィルムの搬送経路１２に沿って走行することによって紐５１には一定の張力がかかっていることで、フィルムを液体中にて搬送する場合でも、紐通しに用いる紐５１やフィルムが搬送ロール１１の軸端から落下してしまうことを回避することができる。
【００３４】
そして、紐通し棒２５としてしなる材質を用いていることから、紐５１に張力が加わったとしても、紐通し棒２５がその張力を吸収できるので、軸端への紐５１の落下や紐５１の断裂が起こることなく紐通しできる。また、紐通し棒２５と紐５１との間にゴムシート５３を介在させていることから、前記張力が加わったとしても当該ゴムシート５３が更に吸収できる。
【００３５】
以下に、上述したフィルム搬送装置をフィルム製造装置に適用した例について説明する。このようなフィルム製造装置２としては、例えば図１０〜図１２に示すように、フィルムを複数の処理槽となる洗浄槽４０ａ〜４０ｃ内を搬送して製造するフィルム製造装置２が挙げられる。
【００３６】
図１０は、図１〜図４に示したフィルム搬送装置１を適用したフィルム製造装置の一例を示す縦断面図である。図１１は、図１０に示した洗浄槽４０ａ〜４０ｂの内部の構成を示す図である。図１２は、図１０に示した洗浄槽４０ａ〜４０ｃを上方から見た図である。
【００３７】
図１０〜図１２に示すフィルム製造装置２においては、図１〜図４に示したフィルム搬送装置１によってフィルムを搬送することになるが、洗浄槽４０ａ〜４０ｃ内においても、搬送ロール１１及びスプロケット２１が設けられており、搬送ロール１１によって形成された搬送経路１２に沿ってフィルムが搬送されるとともに、スプロケット２１に噛み合わされたチェーン２２が洗浄槽４０ａ〜４０ｃ内をフィルムの搬送経路１２に沿って走行することになる。
【００３８】
洗浄槽４０ａ〜４０ｃは、その側面に、チェーン２２を外部から視認可能とする確認窓４１がそれぞれ気密に設けられており、この確認窓４１を介してチェーン２２の走行を外部から確認することができる。また、洗浄槽４０ａ〜４０ｃの天面には、洗浄槽４０ａ〜４０ｃの内部を気密状態とする天井壁４３が備えられている。この天井壁４３には、チェーン２２を外部から視認可能とする確認窓４２がそれぞれ設けられており、この確認窓４２を介してチェーン２２の走行を外部から確認することができる。また、天井壁４３の上には、スプロケット２１を駆動するための駆動部となるモータ２３が設置されている。このように構成された洗浄槽４０ａ〜４０ｃ内には、塩化メチレン等の有機溶剤からなる処理液３がそれぞれ収容されて撹拌されている。
【００３９】
また、本例におけるフィルム製造装置２においても、チェーン２２は、フィルムの搬送経路１２の下流側から上流側に戻る際、搬送ロール１１が配置された領域に対して下方、例えば洗浄槽４０ａ〜４０ｃに対して階下を通過する構成となっている。なお、複数の搬送ロール１１によって形成されるフィルムの搬送経路１２の長さは、搬送ロール１１の幅の２０倍〜１００倍であることが好ましい。
【００４０】
上記のように構成されたフィルム製造装置２においては、洗浄槽４０ａ〜４０ｃの順番で、上述した紐通しが行われた後、フィルム通しが行われ、フィルムが搬送されていくことになるため、洗浄槽４０ａのフィルムの搬送経路１２の上流側には、上述した玉巻き紐３１が設けられている。
【００４１】
以下に、上記のように構成されたフィルム製造装置２を備えた微多孔膜製造装置における微多孔膜製造方法について説明する。
【００４２】
まず、二軸押し出し機などの混練機を用いて、例えばポリオレフィン樹脂が溶融する温度にて、ポリオレフィン樹脂に可塑剤となる流動パラフィンを混練してポリオレフィン溶液を調整する。
【００４３】
次に、このポリオレフィン溶液をダイからゲルシート状に吐出すると共に、このゲルシートをチルロールなどの冷却装置などを用いて冷却してフィルムを得る。その後、このフィルムについて、同時二軸延伸装置や逐次二軸延伸装置を用いて縦方向及び横方向に延伸させる。
【００４４】
次に、上述したように、洗浄槽４０ａ〜４０ｃ内にてフィルムを搬送する搬送ロール１１間にて紐通しを行う。続いて、フィルムを上述した洗浄槽４０ａ〜４０ｃ内にてフィルム通しする。
【００４５】
洗浄槽４０ａ〜４０ｃには、上述したように、塩化メチレン等の有機溶剤からなる処理液３がそれぞれ収容されているため、フィルムを洗浄槽４０ａ〜４０ｃ内にてフィルム通しすることで、フィルムに含有された可塑剤が除去されて微多孔膜が得られる。
【００４６】
次に、洗浄槽４０ａ〜４０ｃ内にて可塑剤が除去された微多孔膜を乾燥させて、ワインダーなどの巻き取り部にてロールに巻き取る。
【００４７】
上述したフィルム製造装置２においても、図１〜図４に示したフィルム搬送装置１と同等の効果を得ることができるが、特に、フィルムが処理液３中を搬送されることになるため、有効なものとなる。即ち、液中では浮力による紐５１の浮き上がりや液の流れによる紐５１の蛇行が起こりやすいが、搬送ロール１１の長さ方向における紐５１の位置を紐通し棒２５によって中央部に規制しながら張力を加えているので、液中にて搬送経路が長くても確実に紐通しを行うことができる。そして、チェーン２２及びスプロケット２１を用いることにより、作業者が処理液に触れることを防止しつつ、このような簡便な構成（チェーン２２、スプロケット２１及び紐通し棒２５）だけを処理液に浸漬するだけで済むので、大型の自動フィルム通し装置を用いる場合よりも簡便に紐通し及びフィルム通しを行うことができる。その際、紐通し棒２５は、チェーン２２の走行とともに処理液３中を移動することになるため、耐薬品性を有する樹脂等によって構成されていることが好ましい。
【００４８】
また、上述したように洗浄槽４０ａ〜４０ｃの天面に、確認窓４２が設けられた天井壁４３が備えられていることにより、洗浄槽４０ａ〜４０ｃ内に収容された処理液３が揮発してしまうことを防止できながらも、更には作業者が処理液３に触れることなく、チェーン２２の走行を確認することができる。
【００４９】
また、チェーン２２が、フィルムの搬送経路１２の下流側から上流側に戻る際、搬送ロール１１が配置された領域に対して下方を通過する構成となっていることで、チェーン２２が洗浄槽４０ａ〜４０ｃに対して階下を通過しているため、チェーン２２は、フィルムの搬送経路１２の下流側から上流側に最短経路で戻る構成とすることができる。なお、チェーン２２を無端状ではなく、フィルムの搬送経路１２の上流側と下流側とを往復する構成とすることも考えられるが、チェーン２２を無端状とした方が、紐通しの紐やフィルムの搬送状態に応じてチェーン２２の走行方向を切り替える必要がない等、制御が容易となる。
【００５０】
ここで、既述の背景の項目にて説明した各特許文献１、２と本発明との差異について詳述する。特許文献１は、２頁目上段左欄第６行〜８行における「ガイドロープ２３の先端のたるみを手で持って巻取機２４の上を越すように投げる」の記載からも、手作業で対応可能なレベルの寸法、具体的には小型の装置を対象としていることは明らかである。また、特許文献１における２頁目上段左欄第１０行〜第１６行及び３頁目上段右欄第１４行〜第１７行に記載のように、特許文献１では引取ローラ１５〜２０の片側のみに設置された溝付案内ローラ４〜９、４１〜５１によってフィルム通しを行っており、本発明で課題としている、フィルムがロールの端部に寄ってしまうという現象については何ら考慮されていない。
【００５１】
これに対して本発明では、微多孔膜の製造工程において、微多孔膜（詳しくは「多孔」が生成する前のフィルム）を洗浄するといった微多孔膜に特有の工程が設けられており、その洗浄工程の分だけフィルムの搬送経路が通常のバルク状のフィルムよりも長いため、紐通し及びフィルム通しが極めて困難であり、更に微多孔膜には「多孔」が形成されているので一般的なバルク状フィルムとは性状が根本的に異なり、具体的には強度が弱くフィルム通し時にロールの端にフィルムが寄りやすいという現象が起こることに着目して、そのような現象を回避すべく発明をなしえたものである。特許文献１には、そのようなフィルムの性状や搬送経路の長さに由来する課題について記載も示唆もされていない。
【００５２】
しかも、微多孔膜における洗浄工程は有機溶剤を使用するため、純水などを用いた一般的な水処理工程を参考にすることはできず、加えて有機溶剤が使用されている雰囲気は密閉されているため作業者の目視に頼らず確実な紐通し及びフィルム通しが要求されるところ、特許文献１では作業者の「投げる」といった作業で一部足りるようなレベルの小型の装置を対象としており、本発明が対象としている大型の微多孔膜製造装置を示唆する記載もない。
【００５３】
更に、洗浄前のフィルムは、ポリオレフィン樹脂と可塑剤とにより構成されている。そのため、フィルム表面は可塑剤により湿潤状態となっており、そしてこの可塑剤はいわば「油」のような表面張力の小さい潤滑剤であることから、フィルムは極めて保持されにくく滑りやすい。従って、紐通しをロール端部で行っておき、その後ロールに対するフィルムの摩擦力に頼って中央部までフィルム通し位置を移動させようとしても、フィルムが滑りやすいことからフィルムは中央部に移動しない。これに対して本発明では、ロールの中央部にて紐通しを行っていることから、可塑剤により湿潤しているフィルムであっても、容易に且つ確実に紐通しできる。
【００５４】
ここで、各ロールは、水平となるように配置されると共に、各ロール間についても互いに平行となるようにレイアウトされている。しかし、各ロールは、互いの平行度が特定の規格内となるように配置されているので、微視的に見ると、設置面に対する各ロールの向き及び各ロール同士の平行度は、ごく僅かにずれが生じている。従って、可塑剤により湿潤したフィルムは、液流れによって抵抗を受けていることも加わって、フィルム通し時、前記僅かなずれに基づいてロールの端部に寄っていく傾向がある。しかし、本発明では紐通しを行うにあたって、紐通し棒２５と紐５１との間にゴムシートを介在させていることから、搬送経路が極めて長い洗浄槽４０ａ〜４０ｃに亘って紐通しする際であっても、紐通し棒２５に加わる張力に抗して確実に維持される。即ち、搬送経路が極めて長い場合には、搬送経路の途中において紐５１がテンションフリーの状態にならないようにある程度大きな張力を与えながら紐通しを行う必要があるところ、そのような張力に抗しつつ且つ紐５１が切れないようにしながら、紐通しを行う搬送経路における紐通し開始位置から紐通し終了位置までに亘って、紐５１を各ロールの中央部に確実に配置できる。そのため、上記のような各ロールの設置に伴う位置ずれが極僅かに生じている現実上の装置であっても、フィルム通しを容易に行うことができる。
【００５５】
また、特許文献２に関しては、液中での現象に着目している点については本発明と共通しているが、図２から分かるように、染色槽４０及び架橋槽５０の上面は開放されている。また、特許文献２は、フィルム同士を接合する技術に関する内容であり、本発明が対象としている、フィルムの製造開始時における紐通しやフィルム通しに関する内容ではないため、上記特許文献１と本発明との差異を埋めるものではない。なお、特許文献２における上記「液中」で行われる処理は、フィルムの「染色」や「架橋」であり、特許文献２が偏光板を対象としていることから、この「染色」や「架橋」がフィルムの表面を対象とした処理であることは当然である。従って、微多孔膜製造工程における、フィルムの表面から内部までに亘って含まれている可塑剤を除去するためにフィルムに形成されつつある「微多孔」を介してフィルムの膜厚方向に亘って洗浄液を通過させる必要がある洗浄工程と比べて、特許文献２における液中の浸漬時間が短いことは明らかである。具体的には、フィルムの洗浄により微多孔膜を形成する時、処理液によって可塑剤がフィルムから抽出除去されて、洗浄前のフィルムに含まれていた可塑剤の位置に対応する孔が形成される。従って、洗浄液はフィルムの膜厚方向に亘ってフィルム内部に浸透する必要があるので、液体をフィルムの表面に単に接触させるだけのフィルムの表面処理と比べて、微多孔膜製造工程における洗浄処理には極めて長い時間を要する。また、微多孔膜は細い繊維状のポリオレフィン樹脂からなるフィブリルが多数集まって形成されるため、孔の数量、位置及び形状は微多孔膜の幅方向及び長さ方向において微視的にはまちまちになっていると言える。従って、このような孔の数量、位置及び形状が面内において一様とは言えない微多孔膜を形成する際のフィルムの洗浄処理では、洗浄液がフィルム内部に浸透する度合いについてもフィルムの幅方向及び長さ方向においてばらつきが生じて、その結果洗浄液によってフィルムが受ける物理的影響の度合いも幅方向及び長さ方向にて微視的にばらつく。具体的には、例えば孔の形成割合が比較的大きい（孔の数量が多い、あるいは孔の大きさが大きい）部位においては、フィルム内部に大量の処理液が入り込むので、この処理液の影響によってフィルムが物理的な抵抗を受けて揺らぎやすくなる。一方、孔の形成割合が比較的小さい（孔の数量が少ない、あるいは孔の大きさが小さい）部位においては、フィルム内部に多くの処理液が入り込まないので、それ程抵抗を受けずに液中を搬送される。そして、このような処理液によって受ける物理的影響の大きい度合いと小さい度合いとが幅方向及び長さ方向に微視的に偏在しているフィルムを洗浄する時には、液中を搬送される時にフィルムは物理的抵抗の小さい部位に向かって動く傾向があり、しかも既述のようにフィルム表面は可塑剤によって滑りやすくなっていることからも、更には「洗浄」処理であり、処理液を当然に撹拌していることから、フィルムの幅方向の長さが小さいフィルム通し時においては、特にロール端部に当該フィルムが寄りやすい。従って、特許文献２においてフィルムの搬送を行っているからといって、本発明と既述の特許文献１との差異を埋める技術とはなりえない。
【００５６】
また、搬送ロール１１とスプロケット２１とを同軸で駆動させる構成とすることも考えられるが、その場合、スプロケット２１やチェーン２２のメンテナンス時に、搬送ロール１１までも取り外す必要が生じるため、上述したように、スプロケット２１は、チェーン２２がフィルムの搬送経路１２に沿いながら搬送経路１２よりも外回りを走行するように、搬送ロール１１とは別個の駆動軸によって駆動する構成とすることが好ましい。また、メンテナンスの点を考慮した場合、紐通し棒２５がチェーン２２に対して着脱可能に設けられていることが好ましい。
【００５７】
なお、上記の紐通し及びフィルム通しを行う場合には、通常のフィルム搬送速度よりも遅い速度でこれら紐通し及びフィルム通しが行われて、その後フィルムが各工程の上流端から下流端に到達した時、フィルム搬送速度を任意の製造速度まで速めて、通常の連続処理が開始される。
【００５８】
また、上述したフィルム製造装置２のようにスプロケット２１及びチェーン２２が処理液３中に配置された構成においては、スプロケット２１によるチェーン２２の走行に用いられるベアリング等の部品が錆びることが考えられ、その交換が必要となる場合があるが、本形態のフィルム搬送装置１においては、搬送ロール１１の一端側にのみスプロケット２１及びチェーン２２が設けられているため、搬送ロール１１の両端側にそれぞれスプロケット２１及びチェーン２２が設けられている構成に対して、メンテナンスが容易となる。また、本形態のように、搬送ロール１１の一端側にのみスプロケット２１及びチェーン２２が設けられている構成においては、搬送ロール１１の両端側にそれぞれスプロケット２１及びチェーン２２が設けられている構成に対して、スプロケット２１及びチェーン２２の駆動や走行のタイミングを搬送ロール１１の両端側で合わせる必要がなく、チェーン２２等に負荷がかかってしまうことを回避できる。
【００５９】
なお、本形態のフィルム搬送装置１においては、チェーン２２に取り付けられた紐通し棒２５が、チェーン２２の内側から搬送ロール１１の中央部分までの長さを有し、その先端に紐通し用の紐５１が連結される固定部２６が設けられていることから、紐通し用の紐５１や、それに連結されたフィルムが搬送ロール１１の中央部分を中心として搬送されていくこととなるが、紐通し棒２５の長さは、チェーン２２と搬送ロール１１の一端側の端部との間の間隔よりも長ければよい。
【００６０】
また、チェーン２２、スプロケット２１及び紐通し棒２５としては、既述のように搬送ロール１１の片側だけに設けても良いし、両側に配置しておき、その一方だけを使用しても良い。その場合には、搬送ロール１１の両側のチェーン２２、スプロケット２１及び紐通し棒２５からなる構成について、片側の構成が故障した場合には他方の構成を使用できる。
【符号の説明】
【００６１】
１    フィルム搬送装置
２    フィルム製造装置
４    フィルム
１１    搬送ロール
２１    スプロケット
２２    チェーン
２５    紐通し棒
２６    固定部
Ａ    フィルムの搬送方向
Ｂ    チェーンの走行方向
Ｃ    フィルム（紐）が引き出されていく方向
【図１】
2020001856.tif 000003
【図２】
2020001856.tif 000004
【図３】
2020001856.tif 000005
【図４】
2020001856.tif 000006
【図５】
2020001856.tif 000007
【図６】
2020001856.tif 000008
【図７】
2020001856.tif 000009
【図８】
2020001856.tif 000010
【図９】
2020001856.tif 000011
【図１０】
2020001856.tif 000012
【図１１】
2020001856.tif 000013
【図１２】
2020001856.tif 000014